(57)【特許請求の範囲】
【請求項１】
筐体と、
前記筐体の外郭を形成するとともに、前記筐体に対して着脱可能な外郭部材と、
前記外郭部材に隣接するスイッチ部とを備え、
前記スイッチ部が、スイッチ本体と、前記スイッチ本体を囲むスイッチカバーとを有し、
前記スイッチカバーの縁部が前記外郭部材に覆われている電子機器。
【請求項２】
請求項１に記載の電子機器において、
前記外郭部材が、前記筐体に対して着脱可能となる着脱位置と、前記筐体に固定される固定位置との間で前記筐体に対して移動する電池蓋であり、
前記スイッチカバーが、前記電池蓋に覆われるフランジを有し、
前記筐体に前記フランジに隣接するリブが設けられている電子機器。
【請求項３】
請求項２に記載の電子機器において、
前記リブが、前記着脱位置と前記固定位置との間で前記電池蓋を案内する電子機器。
【発明の詳細な説明】
【技術分野】
【０００１】
本発明は、筐体の側端面にスイッチが設けられた電子機器に関するものである。
【背景技術】
【０００２】
従来より、筐体の側端面にスイッチが設けられた電子機器が広く知られている（例えば、特許文献１参照）。
また、図６に示す電子機器１００のように、ケース１０１とカバー１０２によって構成される筐体１０３の側端面１０４に生じる境界線１０５に沿って、スイッチ１０６を配置することがある。
スイッチ１０６は、筐体１０３の内部に設けられているスイッチ端子１０７を外部から押圧するためのスイッチ本体１０８と、筐体１０３の内部を防水するための防水部材１０９を有する。
この場合、ケース１０１とカバー１０２とを組み合わせる構造であるため、ケース１０１とカバー１０２とが分離しない限り、スイッチ本体１０８が外れる虞もなく、良好な防水性も容易に得られる。
【先行技術文献】
【特許文献】
【０００３】
【特許文献１】特許第４４８００３８号公報（第１図）
【発明の概要】
【発明が解決しようとする課題】
【０００４】
ところで、近年では、筐体の側端面に境界線が生じない電子機器が提案されている。このような電子機器では、筐体に設けた貫通孔を覆うようにスイッチ部を設ける関係上、前述したようなケース＆カバーの組み合わせに伴うスイッチ本体の確実な固定や良好な防水性が得にくいという問題があった。
【０００５】
本発明は、従来の問題を解決するためになされたもので、境界線を有していない筐体の側端面に取り付けるスイッチ部において確実な固定や良好な防水性を得ることができる電子機器を提供することを目的とする。
【課題を解決するための手段】
【０００６】
本発明の電子機器は、筐体と、前記筐体の外郭を形成するとともに、前記筐体に対して着脱可能な外郭部材と、前記外郭部材に隣接するスイッチ部とを備え、前記スイッチ部が、スイッチ本体と、前記スイッチ本体を囲むスイッチカバーとを有し、前記スイッチカバーの縁部が前記外郭部材に覆われているものである。
【０００７】
また、本発明の電子機器は、前記外郭部材が、前記筐体に対して着脱可能となる着脱位置と、前記筐体に固定される固定位置との間で前記筐体に対して移動する電池蓋であり、前記スイッチカバーが、前記電池蓋に覆われるフランジを有し、前記筐体に前記フランジに隣接するリブが設けられているものである。
【０００８】
さらに、本発明の電子機器は、前記リブが、前記着脱位置と前記固定位置との間で前記電池蓋を案内するものである。
【発明の効果】
【０００９】
本発明は、筐体の外郭に着脱可能に設けられた外郭部材に隣接してスイッチ部を設ける際に、スイッチ部に、スイッチ本体と、スイッチ本体を囲むスイッチカバーを設けた。そして、スイッチカバーの縁部を、外郭部材で覆うようにしたので、確実な固定や良好な防水性を得ることができるという効果を有する電子機器を提供できる。
【図面の簡単な説明】
【００１０】
【図１】本発明に係る実施形態の携帯端末を下筐体側から見た分解斜視図
【図２】スイッチ部を外側から見た分解斜視図
【図３】スイッチ部を内側から見た分解斜視図
【図４】スイッチ部および下筐体におけるスイッチ部取り付け位置の斜視図
【図５】下筐体に取り付けられたスイッチ部の斜視図
【図６】（Ａ）は従来のスイッチ部の取り付け構造を示す斜視図であり、（Ｂ）はＢ−Ｂ位置の断面図
【発明を実施するための形態】
【００１１】
以下、本発明に係る実施形態の電子機器について、図面を用いて説明する。
図１に示すように、本発明に係る実施形態の電子機器である携帯端末１０は、筐体である下筐体２０と、上筐体１１と、下筐体２０と上筐体１１とを相対的に回動可能に支持する連結部１２を有する。
上筐体１１は、閉状態（図１に示す状態）において、下筐体２０の内面と対向する内面に、液晶表示板からなる表示部（図示省略）を有する。
【００１２】
下筐体２０は、底板２１と、底板２１の外周縁に沿って内側へ立設された側壁２２とから、外郭を形成する。側壁２２の内側端、すなわち、閉状態（図１に示す状態）において、上筐体１１の内面と対向する下筐体２０の内面は開口しており、複数のキーを備えた操作部（図示省略）が取り付けられる。
また、下筐体２０の底板２１には、下筐体２０の外郭を形成するとともに、外郭の一部を構成する電池カバー２３が下筐体２０に対して着脱可能に設けられている。電池カバー２２は、下筐体２０に対して着脱可能となる着脱位置２６（図５参照）と、下筐体２０に固定される固定位置２７（図５参照）との間で、下筐体２０の長手方向に沿ってスライド可能となっている。
【００１３】
下筐体２０の側壁２２には、電池カバー２２に隣接してスイッチ部３０が設けられている。スイッチ部３０は、スイッチ本体３１と、スイッチ本体３１を囲むスイッチカバー３２を有する。
図２および図３にも示すように、スイッチ本体３１は、本体基部３３と、取付部３４を有する。本体基部３３には、外側へ突出する矩形状の嵌合凸部３３１と、内側に突出する押圧部３３２が設けられている。嵌合凸部３３１を押圧すると、押圧部３３２がスイッチ端子カバー４０（図４参照）を押圧する。
【００１４】
スイッチ端子カバー４０の内側には、防止処理して下筐体２０の内部に収容されているスイッチ端子（図示省略）が接触しており、スイッチ端子カバー４０を押圧することによりスイッチ端子を押圧して、オン・オフを切り替える。
すなわち、スイッチ端子カバー４０が下筐体２０に対して密着することにより止水性を得ているため、下筐体２０の内部に収容されているスイッチ端子に防水性が得られる。
取付部３４は、連結部３５を介して本体基部３３に連結されており、位置決め・固定用の嵌合穴３４１を有する。
【００１５】
スイッチカバー３２には、内側からスイッチ本体３１を取り付けた際に、本体基部３３の嵌合凸部３３１を外側に露出させる矩形状の窓部３２１が開口して設けられている。また、スイッチカバー３２の内面３２２には、スイッチ本体３１の取付部３４に設けられている嵌合穴３４１に嵌合させて位置決め・固定する嵌合突起３２３が設けられている。
【００１６】
従って、スイッチ本体３１の嵌合凸部３３１をスイッチカバー３２の窓部３２１に内側から挿入し、スイッチ本体３１の取付部３４の嵌合穴３４１にスイッチカバー３２の嵌合突起３２３を嵌合させることにより、スイッチ部３０が構成される。
なお、嵌合凸部３３１の周囲の一部には、外側に板状に突出するストッパ片３３３が設けられており、嵌合凸部３３１をスイッチカバー３２の窓部３２１に挿入した際に、嵌合凸部３３１が窓部３２１から外側へ貫通して脱落しないようにしている。
【００１７】
スイッチカバー３２の縁部（図２において上側の縁部）には、フランジ３２４が設けられている。また、スイッチカバー３２の長手方向両端面には、スイッチ部３０を下筐体２０に取り付けるための係止凹部３２５が設けられている。
図４に示すように、下筐体２０の側壁２２には、側壁２２を切り欠いてスイッチ取付部２４が設けられている。スイッチ取付部２４の内壁２４１には、下筐体２０の内部に収容されているスイッチ（図示省略）をオン・オフするスイッチ端子カバー４０が取り付けられている。内壁２４１においてスイッチ端子カバー４０の上方には、リブ２５が設けられている。
また、スイッチ取付部２４の左右両端面２４２（図４には右端面のみ表示）には、スイッチ部３０を取り付けるための係止凸部２４３が設けられている。
【００１８】
従って、スイッチ部３０を下筐体２０のスイッチ取付部２４に取り付ける際には、スイッチ本体３１が組み込まれたスイッチカバー３２の係止凹部３２５を、スイッチ取付部２４の係止凸部２４３に上方から挿嵌する。
図５に示すように、スイッチ部３０を、下筐体２０のスイッチ取付部２４に取り付けると、スイッチ部３０の上部のフランジ３２４の上側に、リブ２５が隣接して位置する。
【００１９】
スイッチ部３０を取り付けた状態で、電池カバー２３を下筐体２０に取り付ける際には、図１中矢印Ａに示すように、電池カバー２３を下筐体２０の長手方向へスライドさせる。
そして、図５に示すように、電池カバー２３の内面に設けられている係合突起２３１（図１参照）が、下筐体２０のリブ２５の手前（図５において右側）の着脱位置２６に達したら、電池カバー２３を下方（図５中矢印Ｂ参照）へ押し下げながらスライドさせる。
【００２０】
これにより、係合突起２３１をリブ２５の下側に挿入し、さらに係合突起２３１が固定位置２７に達するまでスライドさせて（図５中矢印Ｃ参照）、電池カバー２３を完全に取り付ける。なお、リブ２５は、電池カバー２３を完全に取り付けた状態でも、係合突起２３１を係止する長さに設定する。
電池カバー２３は、係合突起２３１がリブ２５の下面に沿ってスライドするとともに、電池カバー２３の下端部が、スイッチカバー３２の縁部であるフランジ３２４を外側から覆う。
【００２１】
以上、説明した本発明に係る携帯端末１０によれば、下筐体２０の底板２１に着脱可能に設けられた電池カバー２３に隣接してスイッチ部３０を設ける際に、スイッチ部３０に、スイッチ本体３１と、スイッチ本体３１を囲むスイッチカバー３２を設けた。
そして、スイッチカバー３２のフランジ３２４を、電池カバー１３で覆うようにしたので、確実な固定や良好な防水性を得ることができる。
【００２２】
また、本発明に係る携帯端末１０によれば、下筐体２０に対して着脱可能となる着脱位置２６と、下筐体２０に固定される固定位置２７との間で下筐体２０に対して移動する電池カバー２３を外郭部材として設けた。そして、スイッチカバー３２に設けたフランジ３２４を電池カバー２３で覆うので、スイッチカバー３２の脱落を防止できる。
また、下筐体２０には、このフランジ３２４に隣接するリブ２５が設けられているので、容易かつ確実にスイッチカバー３２の位置決めを行うことができる。
また、リブ２５が、指や爪がスイッチカバー３２に引っ掛かるのを防止するので、スイッチカバー３２の脱落を防止する。
【００２３】
また、本発明に係る携帯端末１０によれば、下筐体２０に設けられているリブ２５が、着脱位置２６と固定位置２７との間で電池カバー２３を案内する。
このため、電池カバー２３の着脱の際に、スイッチ部３０に当接することなく、電池カバー２３を確実に案内できる。
【００２４】
なお、本発明の電子機器は、前述した実施形態に限定されるものでなく、適宜な変形，改良等が可能である。
【産業上の利用可能性】
【００２５】
以上のように、本発明にかかる電子機器は、筐体の外郭に着脱可能に設けられた外郭部材に隣接してスイッチ部を設ける際に、スイッチ部に、スイッチ本体と、スイッチ本体を囲むスイッチカバーを設けた。そして、スイッチカバーの縁部を、外郭部材で覆うようにしたので、確実な固定や良好な防水性を得ることができるという効果を有し、筐体の側端面にスイッチが設けられた電子機器等として有用である。
【符号の説明】
【００２６】
１０  携帯端末（電子機器）
２０  下筐体（筐体）
２１  底板（外郭）
２２  側壁（外郭）
２３  電池カバー（外郭部材、電池蓋）
２５  リブ
２６  着脱位置
２７  固定位置
３０  スイッチ部
３１  スイッチ本体
３２  スイッチカバー
３２４  フランジ（縁部）
【図１】
0005322320.tif 000002
【図２】
0005322320.tif 000003
【図３】
0005322320.tif 000004
【図４】
0005322320.tif 000005
【図５】
0005322320.tif 000006
【図６】
0005322320.tif 000007